(57)【要約】【課題】第三者による電子機器の不正な使用を抑制できる電子機器を提供する。【解決手段】睡眠検出部は睡眠を検出する。認証処理部は睡眠を検出していないときに第１ユーザ認証を行い、睡眠を検出しているときに、第１ユーザ認証とは異なる第２ユーザ認証を行う。【選択図】図５
2017084045.tif 000002
【特許請求の範囲】
【請求項１】
電子機器であって、
睡眠を検出する睡眠検出部と、
前記睡眠を検出していないときに第１ユーザ認証を行い、前記睡眠を検出しているときに、前記第１ユーザ認証とは異なる第２ユーザ認証を行う認証処理部と
を備える、電子機器。
【請求項２】
請求項１に記載の電子機器であって、
指紋検出部を備え、
前記第１ユーザ認証は指紋認証を含む、電子機器。
【請求項３】
請求項２に記載の電子機器であって、
前記認証処理部は、前記指紋検出部によって検出される指紋が、登録された登録指紋と類似するときに、ユーザ認証が成功したと判断し、
前記第２ユーザ認証は、前記第１ユーザ認証で用いる登録指紋とは異なる登録指紋を用いた指紋認証を含む、電子機器。
【請求項４】
請求項２または請求項３に記載の電子機器であって、
前記認証処理部は、前記第２ユーザ認証において、複数の登録指紋を採用した複数の指紋認証を所定の順序で行う、電子機器。
【請求項５】
請求項１から請求項４のいずれか一つに記載の電子機器であって、
表示部、および、前記表示部に対する操作を検出するタッチセンサを備え、
前記第２ユーザ認証はパスワード認証を含み、
前記認証処理部は、
前記第２ユーザ認証において、パスワードの入力するためのボタンとして機能する入力要素を、時間の経過とともに移動させながら前記表示部に表示する、電子機器。
【請求項６】
請求項１から請求項４のいずれか一つに記載の電子機器であって、
表示部、および、前記表示部に対する操作を検出するタッチセンサを備え、
前記第２ユーザ認証はパスワード認証を含み、
前記認証処理部は、パスワードを入力するためのボタンとして機能する要素を前記表示部に表示し、
前記要素に対する操作はタップ操作以外の操作である、電子機器。
【請求項７】
請求項６に記載の電子機器であって、
前記要素に対する操作は、前記要素から所定位置へのスライド操作である、電子機器。
【請求項８】
請求項１から請求項４のいずれか一つに記載の電子機器であって、
表示部、および、前記表示部に対する操作を検出するタッチセンサを備え、
前記第１ユーザ認証および前記第２ユーザ認証は、パスワード認証を含み、
前記認証処理部は、
前記第１ユーザ認証および前記第２ユーザ認証において、パスワードを入力するためのボタンとして機能する要素を前記表示部に表示し、
前記第２ユーザ認証における前記要素のサイズは、前記第１ユーザ認証における前記要素のサイズよりも小さい、電子機器。
【請求項９】
請求項１から請求項４の何れか一つに記載の電子機器であって、
撮像部を備え、
前記第２ユーザ認証はパスワード認証を含み、
前記認証処理部は、
前記第２ユーザ認証において、前記撮像部によって撮像された撮像画像を解析し、前記撮像画像にテキストが含まれているときに、前記テキストがパスワードの構成要素として入力されたと判断する、電子機器。
【請求項１０】
請求項１から請求項９のいずれか一つに記載の電子機器であって、
前記第２ユーザ認証は生体認証を含む、電子機器。
【請求項１１】
請求項１から請求項８のいずれか一つに記載の電子機器であって、
前記第２ユーザ認証を行うときに、前記電子機器の前面側で撮像を行う撮像部を備える、電子機器。
【請求項１２】
請求項１から請求項１１のいずれか一つに記載の電子機器であって、
ダミーエラー表示部および計時部を備え、
前記ダミーエラー表示部は、前記第２ユーザ認証を開始するときに、前記電子機器を使用できない旨のダミーエラー画面を表示し、
前記認証処理部は、
前記ダミーエラー画面の表示の後、所定時間が経過したときに、前記第２ユーザ認証を行うための入力を受け付ける、電子機器。
【請求項１３】
請求項１から請求項４のいずれか一つに記載の電子機器であって、
表示部を備え、
前記第２ユーザ認証が成功したときに、ユーザによって生成または変更される情報の、前記表示部への表示を制限する、電子機器。
【請求項１４】
請求項１から請求項１３のいずれか一つに記載の電子機器であって、
加速度検出部を備え、
前記認証処理部は、前記加速度検出部の検出値の変動量が所定時間に亘って、基準値よりも小さいときに、前記第２ユーザ認証を行う、電子機器。
【請求項１５】
請求項１から請求項１４のいずれか一つに記載の電子機器であって、
電子機器の傾斜角度を検出する傾斜検出部を備え、
前記認証処理部は、前記傾斜角度が所定の傾斜範囲外であるときに、前記第２ユーザ認証を行う、電子機器。
【請求項１６】
請求項１から請求項１５のいずれか一つに記載の電子機器であって、
現在時刻を取得する時刻取得部を備え、
前記認証処理部は、前記現在時刻が所定の時間範囲外であるときに、前記第２ユーザ認証を行う、電子機器。
【請求項１７】
請求項１から請求項１６のいずれか一つに記載の電子機器であって、
前記電子機器の側面または背面に設けられ、人体の近接を検出するタッチセンサを更に備え、
前記認証処理部は、前記タッチセンサが前記近接を検出しないときに、前記第２ユーザ認証を行う、電子機器。
【請求項１８】
請求項１から請求項１７のいずれか一つに記載の電子機器であって、
顔、視線または虹彩を検出する検出部を更に備え、
前記認証処理部は、前記顔、前記視線または前記虹彩を検出しないときに、前記第２ユーザ認証を行う、電子機器。
【請求項１９】
電子機器の認証方法であって、
睡眠を検出したか否かを判断する工程と、
前記睡眠を検出していないときに第１ユーザ認証を行い、前記睡眠を検出しているときに、前記第１ユーザ認証とは異なる第２ユーザ認証を行う工程と
を備える、電子機器の認証方法。
【請求項２０】
電子機器における認証を行うための認証プログラムであって、
前記電子機器は、睡眠を検出する睡眠検出部を備え、
前記電子機器に、
睡眠を検出したか否かを判断する工程と、
前記睡眠を検出していないときに第１ユーザ認証を行い、前記睡眠を検出しているときに、前記第１ユーザ認証とは異なる第２ユーザ認証を行う工程と
を実行させるための、認証プログラム。
【発明の詳細な説明】
【技術分野】
【０００１】
本開示は、電子機器、電子機器の認証方法および認証プログラムに関する。
【背景技術】
【０００２】
特許文献１〜３に記載されているように、従来から電子機器に関して様々な技術が提案されている。
【先行技術文献】
【特許文献】
【０００３】
【特許文献１】特開２０１０−２４６１４８号公報
【特許文献２】国際公開第２００９／０９３４７７１号
【特許文献３】特開２００１−７８９６６号公報
【発明の概要】
【発明が解決しようとする課題】
【０００４】
本開示は、新規なユーザ認証機能を有する電子機器の提供を目的とする。
【課題を解決するための手段】
【０００５】
電子機器、電子機器の認証方法および認証プログラムが開示される。一実施の形態において、電子機器は睡眠検出部と認証処理部とを備える。睡眠検出部は睡眠を検出する。認証処理部は、睡眠を検出していないときに第１ユーザ認証を行い、睡眠を検出しているときに、第１ユーザ認証とは異なる第２ユーザ認証を行う。
【０００６】
また、一実施の形態においては、電子機器の認証方法は、睡眠を検出したか否かを判断する工程と、睡眠を検出していないときに第１ユーザ認証を行い、睡眠を検出しているときに、前記第１ユーザ認証とは異なる第２ユーザ認証を行う工程とを備える。
【０００７】
また、一実施の形態においては、認証プログラムは、電子機器における認証を行うための認証プログラムである。電子機器は睡眠を検出する睡眠検出部を備える。認証プログラムは、電子機器に、睡眠を検出したか否かを判断する工程と、睡眠を検出していないときに第１ユーザ認証を行い、睡眠を検出しているときに、第１ユーザ認証とは異なる第２ユーザ認証を行う工程とを実行させる。
【発明の効果】
【０００８】
本電子機器、電子機器の認証方法および認証プログラムによれば、新規なユーザ認証機能を提供できる。
【図面の簡単な説明】
【０００９】
【図１】電子機器の概観の一例を示す前面図である。
【図２】電子機器の概観の一例を示す裏面図である。
【図３】電子機器の電気的な構成の一例を概略的に示す図である。
【図４】制御部の構成の一例を概略的に示す図である。
【図５】制御部の具体的な動作の一例を示すフローチャートである。
【図６】指紋認証を行う様子の一例を示す図である。
【図７】指紋認証を行う様子の一例を示す図である。
【図８】制御部の具体的な動作の一例を示すフローチャートである。
【図９】認証画面の一例を概略的に示す図である。
【図１０】認証画面の一例を概略的に示す図である。
【図１１】認証画面の一例を概略的に示す図である。
【図１２】認証画面における操作の一例を説明するための図である。
【図１３】認証画面の一例を概略的に示す図である。
【図１４】認証画面の一例を概略的に示す図である。
【図１５】認証画面の一例を概略的に示す図である。
【図１６】認証画面の一例を概略的に示す図である。
【図１７】認証画面の一例を概略的に示す図である。
【図１８】制御部の構成の一例を概略的に示す図である。
【図１９】制御部の具体的な動作の一例を示すフローチャートである。
【図２０】制御部の構成の一例を概略的に示す図である。
【図２１】ダミーエラー画面の一例を概略的に示す図である。
【図２２】制御部の具体的な動作の一例を示すフローチャートである。
【図２３】制御部の構成の一例を概略的に示す図である。
【図２４】ホーム画面およびダミーホーム画面の一例を概略的に示す図である。
【図２５】制御部の具体的な動作の一例を示すフローチャートである。
【図２６】電子機器の電気的な構成の一例を概略的に示す図である。
【図２７】制御部の具体的な動作の一例を示すフローチャートである。
【図２８】電子機器の電気的な構成の一例を概略的に示す図である。
【図２９】制御部の具体的な動作の一例を示すフローチャートである。
【図３０】電子機器の電気的な構成の一例を概略的に示す図である。
【図３１】制御部の具体的な動作の一例を示すフローチャートである。
【図３２】電子機器の電気的な構成の一例を概略的に示す図である。
【図３３】制御部の具体的な動作の一例を示すフローチャートである。
【図３４】制御部の具体的な動作の一例を示すフローチャートである。
【図３５】制御部の具体的な動作の一例を示すフローチャートである。
【発明を実施するための形態】
【００１０】
第１の実施の形態．
＜電子機器＞
＜外観＞
図１は、電子機器１の前面側から見た概観の一例を示している。図２は電子機器１の概観の一例を示す裏面図である。電子機器１は、例えば、タブレット、ＰＤＡ(Personal Digital Assistant)、携帯電話機（スマートフォンを含む）、または、携帯型のパーソナルコンピュータなどである。例えば、電子機器１は、他に、カメラ、ウェアラブル装置（例えば、メガネ、時計、リストバンドなど）、ヘルスケア製品、自動車関連製品（例えばカーナビゲーション装置など）、シェーバーなどであっても良い。
【００１１】
図１および図２の例示では、電子機器１は、カバーパネル２とケース部分３を備えており、カバーパネル２とケース部分３とが組み合わされることによって、平面視で略長方形の板状を成す筐体（以下、機器ケースとも呼ぶ）４が構成されている。
【００１２】
カバーパネル２は、平面視において略長方形を成しており、電子機器１の前面部分における、周縁部分以外の部分を構成している。カバーパネル２は、例えば、透明のガラスあるいは透明のアクリル樹脂で形成されている。あるいは、カバーパネル２は、例えばサファイアで形成されている。ここで、サファイアとは、アルミナ（Ａｌ２Ｏ３）を主成分とする単結晶のことをいい、本明細書では、Ａｌ２Ｏ３純度が約９０％以上の単結晶のことをいう。傷がよりつき難くなるという点で、Ａｌ２Ｏ３純度は９９％以上であることが好ましい。
【００１３】
カバーパネル２は、サファイアから成る層を含む複数層構造の複合パネル（積層パネル）であっても良い。例えば、カバーパネル２は、電子機器１の表面に設けられたサファイアから成る層（サファイアパネル）と、当該層に貼り付けられたガラスから成る層（ガラスパネル）とで構成された２層構造の複合パネルであっても良い。また、カバーパネル２は、電子機器１の表面に設けられたサファイアから成る層（サファイアパネル）と、当該層に貼り付けられたガラスから成る層（ガラスパネル）と、当該層に貼り付けられたサファイアから成る層（サファイアパネル）とで構成された３層構造の複合パネルであっても良い。また、カバーパネル２は、サファイア以外の結晶性材料、例えば、ダイヤモンド、ジルコニア、チタニア、水晶、タンタル酸リチウム、酸化窒化アルミニウムなどから成る層を含んでいても良い。
【００１４】
ケース部分３は、電子機器１の前面部分の周縁部分、側面部分及び裏面部分を構成している。ケース部分３は、例えばポリカーボネート樹脂で形成されている。
【００１５】
カバーパネル２の前面には、文字、記号、図形または画像等の各種情報が表示される表示領域２ａが設けられている。この表示領域２ａは例えば平面視で長方形を成している。カバーパネル２における、表示領域２ａを取り囲む周縁部分は、例えばフィルム等が貼られることによって黒色となっており、情報が表示されない非表示部分となっている。カバーパネル２の裏面には後述するタッチパネル５２が貼り付けられており、ユーザは、電子機器１の前面の表示領域２ａを指等で操作することによって、電子機器１に対して各種指示を与えることができる。なお、ユーザは、指以外の操作子、例えば、スタイラスペンなどの静電式タッチ検出部用ペンで表示領域２ａを操作することによっても、電子機器１に対して各種指示を与えることができる。なお、表示領域２ａを取り囲む周縁部分は、情報が表示されない非表示部分でなくてもよく、例えば、表示領域２ａとは別の表示を行なう表示領域であってもよい。
【００１６】
機器ケース４には、例えば操作キー５が設けられている。操作キー５は、例えばハードウェアキーであって、例えばカバーパネル２の前面の下側端部に設けられている。図１および図２の例示では、操作キー５の一種として、電源キー５Ａも設けられている。電源キー５Ａは例えば電子機器１の側面に設けられている。
【００１７】
タッチパネル５２および操作キー５（電源キー５Ａを含む、以下、同様）は、電子機器１への入力を行う入力部の一例である。後述する各種の入力はタッチパネル５２を用いて行われてもよく、操作キー５を用いて行われてもよい。
【００１８】
＜電気的構成＞
図３は電子機器１の電気的構成の一例を示すブロック図である。図３に例示される電子機器１は、例えば、制御部１０、無線通信部２０、表示部３０、第１音声出力部（ここではレシーバ）４２、第２音声出力部（ここではスピーカ）４４、音声入力部４６、タッチパネル５２、キー操作部５４、撮像部６０、睡眠検出部７０、および、指紋検出部８０を備えている。電子機器１に設けられたこれらの構成要素は、機器ケース４に収められている。
【００１９】
制御部１０は、例えばＣＰＵ（Central Processing Unit）１０１、ＤＳＰ（Digital Signal Processor）１０２及び記憶部１０３等を備えており、電子機器１の他の構成要素を制御することによって、電子機器１の動作を統括的に管理する。記憶部１０３は、ＲＯＭ（Read Only Memory）及びＲＡＭ（Random Access Memory）等で構成されている。記憶部１０３には、電子機器１の動作、具体的には電子機器１が備える無線通信部２０、表示部３０等の各構成要素を制御するための制御プログラムであるメインプログラム及び複数のアプリケーションプログラム（以後、単に「アプリケーション」とも呼ぶ）等が記憶されている。制御部１０の各種機能は、ＣＰＵ１０１及びＤＳＰ１０２が記憶部１０３内の各種プログラムを実行することによって実現される。なお図３の例示では、ＣＰＵ１０１およびＤＳＰ１０２がそれぞれ一つ示されているものの、これらは複数設けられてもよい。そして、これらが互いに協働して各種機能を実現してもよい。また、図３の例示では、記憶部１０３は、制御部１０の内部において示されているものの、制御部１０の外部に設けられてもよい。換言すれば、記憶部１０３は制御部１０とは別体であってもよい。また、制御部１０の機能の一部または全部はハードウェアによって実現されても構わない。
【００２０】
無線通信部２０は、アンテナ２１を有している。無線通信部２０は他の電子機器、あるいはインターネットに接続されたウェブサーバ等の通信装置からの信号を、基地局等を介してアンテナ２１で受信する。無線通信部２０は、受信信号に対して増幅処理及びダウンコンバートを行って制御部１０に出力する。制御部１０は、入力される受信信号に対して復調処理等を行う。また無線通信部２０は、制御部１０で生成された送信信号に対してアップコンバート及び増幅処理を行って、処理後の送信信号をアンテナ２１から無線送信する。アンテナ２１からの送信信号は、基地局等を通じて、他の電子機器あるいはインターネットに接続された通信装置で受信される。
【００２１】
表示部３０は、例えば、液晶表示パネルあるいは有機ＥＬ(Electro Luminescence）パネルなどである。表示部３０は、例えば表示画面を示す表示信号を制御部１０から受け取って、これを表示部３０に表示する。言い換えれば、表示部３０は、制御部１０によって制御されることによって、文字、記号、図形または画像などの各種情報を表示する。表示部３０に表示される情報は、カバーパネル２の前面の表示領域２ａに表示される。したがって、表示部３０は、表示領域２ａに表示を行っていると言える。表示領域２ａは長手方向に長い長尺状の形状を有している。
【００２２】
タッチパネル５２は、カバーパネル２の表示領域２ａに対する操作指等の操作子による操作を検出する検出部であり、タッチセンサを含む。タッチパネル５２は、例えば、投影型静電容量方式のタッチ検出部であって、カバーパネル２の裏面に貼り付けられている。ユーザが操作指等の操作子によってカバーパネル２の表示領域２ａに対して操作を行うと、それに応じた信号がタッチパネル５２から制御部１０に入力される。制御部１０は、タッチパネル５２からの信号に基づいて、表示領域２ａに対して行われた操作の内容を特定して、その内容に応じた処理を行う。なお、タッチパネル５２は感圧式のタッチパネルであってもよい。
【００２３】
なおタッチパネル５２は、表示部３０に表示された表示領域２ａに対するユーザの操作を検出するので、タッチパネル５２および表示部３０は互いに協働して入力部を形成してもよい。なおタッチパネル５２および表示部３０は一体で形成されても構わない。例えば、タッチパネル５２および表示部３０の一組は、表示パネルの各表示素子にタッチセンサを組み込んで、構成される。このような構成としては、例えばインセル型またはオンセル型のディスプレイが挙げられる。また、タッチパネル５２および表示部３０が一体か別体かによらず、これらの一組を、タッチセンサ付き表示部と呼ぶことができる。
【００２４】
キー操作部５４は、各操作キー５に対するユーザの押下操作を検出する。キー操作部５４は、各操作キー５について、当該操作キー５が押下されているか否かを検出する。キー操作部５４は、操作キー５が押下されていない場合には、当該操作キー５が操作されていないことを示す未操作信号を制御部１０に出力する。また、キー操作部５４は、操作キー５が押下されると、当該操作キー５が操作されたことを示す操作信号を制御部１０に出力する。これにより、制御部１０は、各操作キー５について、当該操作キー５が操作されているか否かを判断することができる。
【００２５】
タッチパネル５２および操作キー５は、電子機器１への入力部として機能する。なお以下で述べる、タッチパネル５２を用いた入力は、いずれも操作キー５に割り当てることが可能である。
【００２６】
第１音声出力部（例えばレシーバ）４２は、受話音などを出力するものであって、例えばダイナミックスピーカで構成されている。レシーバ４２は、制御部１０からの電気的な音信号を音に変換して出力する。レシーバ４２から出力される音は、電子機器１の前面に設けられたレシーバ穴８０ａから外部に出力される。レシーバ穴８０ａから出力される音の音量は、第２音声出力部４４からスピーカ穴３４ａを介して出力される音の音量よりも小さくなっている。
【００２７】
なおレシーバ４２に替えて、圧電振動素子が設けられてもよい。圧電振動素子は、制御部１０によって制御され、音信号に基づいて振動する。圧電振動素子は例えばカバーパネル２の裏面に設けられており、音信号に基づく自身の振動によってカバーパネル２を振動させる。これにより、カバーパネル２の振動が音声としてユーザの耳に伝達される。この場合、レシーバ穴８０ａは不要である。
【００２８】
第２音声出力部（例えばスピーカ）４４は、例えばダイナミックスピーカであって、制御部１０からの電気的な音信号を音に変換して出力する。第２音声出力部４４から出力される音は、電子機器１の裏面に設けられたスピーカ穴３４ａから外部に出力される。スピーカ穴３４ａから出力される音が、電子機器１から離れた場所でも聞こえるように、その音量が調整されている。すなわち、第２音声出力部（スピーカ）４４の音量は第１音声出力部（レシーバ４２あるいは圧電振動素子）の音量よりも大きい。
【００２９】
音声入力部４６は、例えばマイクであって、電子機器１の外部から入力される音を電気的な音信号に変換して制御部１０に出力する。電子機器１の外部からの音は、カバーパネル２の前面に設けられたマイク穴から電子機器１の内部に取り込まれてマイク４６に入力される。
【００３０】
撮像部６０は例えば第１撮像部６２と第２撮像部６４とを有している。第１撮像部６２は撮像レンズ６ａおよび撮像素子などで構成されており、制御部１０による制御に基づいて、静止画像および動画像を撮像することができる。図１に示されるように、撮像レンズ６ａは、電子機器１の前面に設けられていることから、電子機器１の前面側（カバーパネル２側）に存在する物体を撮像することが可能である。
【００３１】
第２撮像部６４は、撮像レンズ７ａおよび撮像素子などで構成されており、制御部１０による制御に基づいて、静止画像および動画像を撮像することができる。図２に示されるように、撮像レンズ７ａは、電子機器１の裏面に設けられていることから、電子機器１の裏面側に存在する物体を撮像することが可能である。
【００３２】
睡眠検出部７０はユーザの睡眠を検出することができる。睡眠検出としては、任意の方法を採用すればよいものの、その具体例について概説する。
【００３３】
例えば睡眠検出部７０はイビキ音又は歯軋り音を検出したときに、ユーザの睡眠を検出してもよい。この場合、睡眠検出部７０は音声入力部４６を含んでもよい。例えば睡眠検出部７０は、音声入力部４６から入力される音信号と、予め記憶部（例えば記憶部１０３など、以下、同様）に記憶された、イビキ音または歯軋り音の音信号との類否を判断し、これらが類似していると判断されたときに、睡眠を検出する。類否の判断には任意の判断方法を用いることができる。例えば、音声入力部４６に入力された音信号と、記憶されたイビキ音または歯軋り音の音信号との差分の、所定時間における積分値が、所定の音基準値よりも小さいときに、類似と判断してもよい。
【００３４】
あるいは、例えば睡眠検出部７０は活動計センサを備えていてもよい。この活動計センサは、例えばユーザに装着されて、ユーザの活動を検出することができる。例えば活動計センサはユーザの手首に巻き付けられてもよい。活動計センサは例えば加速度検出部を備えている。加速度検出部は活動計センサに生じる加速度を検出することができる。ユーザが、活動計センサを装着した部位を動かすと、その動きに応じた加速度が活動計センサに発生する。睡眠検出部７０は、検出された加速度の変化量が所定の時間に亘って所定の加速度基準値よりも小さいときに、睡眠を検出してもよい。つまり、ユーザの動きが小さいときに、睡眠を検出している。
【００３５】
なお睡眠検出部７０がユーザに装着される場合には、睡眠検出部７０は電子機器１と通信を行う通信機能を有している。例えば睡眠検出部７０は睡眠を検出したことを、無線通信により、電子機器１に送信することができる。
【００３６】
或いは、睡眠検出部７０の一部の機能が電子機器１に搭載されてもよい。例えば活動計センサと、通信部とが装着装置に設けられる。通信部は、活動計センサによって検出された検出値（例えば加速度）を電子機器１に送信する。そして、制御部１０が検出値に基づいて上述のように睡眠判断を行ってもよい。この点は、ユーザに装着されてユーザの生体情報を検出する後述の睡眠検出部７０についても同様であるので、以下では繰り返しの説明を避ける。
【００３７】
活動計センサは心拍数センサを備えていてもよい。心拍数センサは、ユーザの心拍数を検出することができる。例えば心拍数センサは光源と受光素子とを有しており、その光源がユーザの皮膚に向けて光を照射し、受光素子がその反射光を受光する。反射光は血流の変化によって変化するので、心拍数センサは当該反射光の変化に基づいて、脈拍数を検出することができる。そして、睡眠時の心拍数は覚醒時の心拍数と異なるので、心拍数に基づいて睡眠を検出することができる。例えば睡眠検出部７０は心拍数が所定時間に亘って所定の心拍数基準値よりも小さいときに、睡眠を検出してもよい。
【００３８】
あるいは、活動計センサは体温センサを備えていてもよい。体温センサは、ユーザの体温を検出することができる。睡眠時の体温は覚醒時の体温と異なるので、体温に基づいて睡眠を検出することができる。例えば睡眠検出部７０は、検出された体温が、ユーザの覚醒時の体温よりも所定の体温基準値以上小さいときに、睡眠を検出してもよい。ユーザの覚醒時の体温は例えば予めユーザによって設定されていればよい。
【００３９】
なお、加速度、心拍数および体温の少なくともいずれか二つを用いて睡眠を検出してもよい。例えば、所定時間に亘って、加速度および心拍数がそれぞれの基準値よりも小さいときに、睡眠を検出してもよい。
【００４０】
睡眠検出部７０はユーザの脳波に基づいて睡眠を検出してもよい。睡眠検出部７０は、ユーザに装着される脳波センサを備えている。脳波センサはユーザの脳波を検出することができる。脳波センサは例えばユーザの頭部に近接する電極を有しており、この電極に生じる電位変化によって脳波を検出する。睡眠時の脳波は覚醒時の脳波とは異なり、また脳波の時間変化は、睡眠深度に応じた特徴を有している。睡眠検出部７０は、ユーザの脳波を検出し、その脳波が睡眠時のそれを示すときに、睡眠を検出する。例えば、睡眠時の脳波を記憶部に記憶し、検出された脳波が、記憶部に記憶された脳波と類似するときに、睡眠を検出してもよい。
【００４１】
あるいは、睡眠検出部７０は、例えば特許文献２に記載のように、ユーザの呼吸に基づいて睡眠を検出してもよい。例えば睡眠検出部７０は体動検知センサを備えている。この体動検知センサは例えばユーザの胸部に装着され、呼吸動作に応じたユーザの体動を検出することができる。睡眠時の呼吸は覚醒時の呼吸とは異なるので、検出した呼吸に基づいて、睡眠を検出することができる。例えば睡眠時では呼吸の周期が略一定であるので、呼吸の周期の変動が所定の範囲内であるときに、睡眠を検出してもよい。
【００４２】
あるいは、睡眠検出部７０は、例えば特許文献３に記載のように、発汗量に基づいて睡眠を検出してもよい。一般的に、睡眠深度が深くなる期間では、人体近傍の湿度は急激に上昇する。そして、発汗量が極大値をとった後の期間においては、レム睡眠で発汗量が減少し、ノンレム睡眠では発汗量が増加する。そこで、発汗量の上昇、または、交互に繰り返される発汗量の増減を検出したときに、睡眠を検出してもよい。
【００４３】
発汗量は、ユーザ近傍の湿度と、周囲の湿度との差に基づいて検出することができる。そこで睡眠検出部７０は、例えばユーザに装着される第１湿度検出部と、電子機器１に設けられる第２湿度検出部とを備えている。発汗量が増大すると、ユーザの近傍の湿度が増大する一方で、ユーザから離れた周囲の湿度はさほど変化しないので、発汗量は、第１湿度検出部によって検出された第１湿度と第２湿度検出部によって検出された第２湿度との差に反映される。逆に言えば、第１湿度と第２湿度との差に基づいて発汗量を推定することができる。睡眠検出部７０は、第１湿度検出部によって検出される第１湿度を電子機器１に送信する通信部も備えている。制御部１０は、第１湿度と第２湿度との差に基づいて発汗量を推定し、その発汗量の時間変化に応じて、睡眠を検出してもよい。
【００４４】
以上のように、睡眠検出部７０はユーザの睡眠を検出することができる。
【００４５】
指紋検出部８０は、電子機器１を触る指の指紋を検出することができる。指紋検出領域は、電子機器１の任意の場所であってよいものの、例えば、指紋検出部８０は、操作キー５を触る指の指紋を検出してもよい。また、指紋検出部８０は、操作キー５Ａを触る指の指紋を検出してもよい。なお、ケース部分３の側面に操作キー５Ａが設けられている場合、操作キー５Ａは、図１のようにケース部分３の側面から突出していてもよいし、ケース部分３の側面から突出せず、操作キー５Ａと前記側面が同一平面であってもよいし、操作キー５Ａが前記側面よりも内側に設けられてもよい。
【００４６】
具体的には、指紋検出部８０は、操作キー５のうち、機器ケース４から露出する部分を触る指の指紋を検出する。指紋検出部８０は、操作キー５を触った状態で静止する指の指紋を検出することができる。操作キー５のうち、機器ケース４から露出する部分が、指紋検出領域となっている。なお指紋検出部８０は例えば表示領域２ａを触った状態で静止する指の指紋を検出してもよい。指紋検出部８０は、指紋検出結果として、例えば、検出した指紋を示す指紋画像を出力する。指紋検出部８０での検出方式は、例えば静電容量方式である。なお、指紋検出部８０での検出方式は、静電容量方式以外の方式、例えば光学式であっても良い。
【００４７】
後述するように、制御部１０は、指紋検出部８０による指紋検出結果に基づいてユーザ認証を行う。
【００４８】
＜制御部＞
図４は制御部１０の構成の一例を概略的に示す図である。制御部１０は認証処理部１１０を備えている。この認証処理部１１０は、制御部１０が記憶部１０３に記憶された認証プログラムを実行することで実行されてもよく、あるいは、ハードウェアで構成されてもよい。認証処理部１１０は第１認証部１１と第２認証部１２とを備えている。
【００４９】
制御部１０はロックモードを採用することができる。ロックモードでは、電子機器１への入力が制限される。よって、ユーザはロックモードを解除しなければ、電子機器１の機能を十分に用いることができない。このロックモードは後述のユーザ認証が成功したときに解除される。これにより、ユーザは電子機器１の機能を十分に活用することができる。
【００５０】
認証処理部１１０は、睡眠検出部７０によって睡眠が検出されていないときには、第１認証部１１による第１ユーザ認証を行い、睡眠検出部７０によって睡眠が検出されているときには、第２認証部１２による第２ユーザ認証を行う。なお以下では、ユーザ認証を単に認証と呼ぶ。
【００５１】
第１認証部１１は第１認証を行う。第１認証は特に制限されないものの、例えば指紋認証であってもよい。第１認証部１１は、例えば指紋検出部８０によって検出された指紋（以下、検出指紋とも呼ぶ）を、記憶部に記憶された指紋（以下、登録指紋とも呼ぶ）との類否を判断する。これらが類似すると判断したときには、第１認証が成功したと判断し、これらが類似しないと判断したときには第１認証が失敗したと判断する。この類否判断としては任意の方法を採用してもよいものの、例えば、検出指紋を示す画像と、登録指紋を示す画像との、各画素の差分の総和が、所定の指紋基準値よりも小さいときに、これらが類似すると判断してもよい。
【００５２】
第２認証部１２は第２認証を行う。第２認証は第１認証と異なる認証である。例えば第２認証は、第１認証で採用される第１登録指紋とは異なる第２登録指紋を用いた指紋認証であってもよい。この場合、第１認証および第２認証は登録指紋という点で互いに相違する。
【００５３】
また、認証処理部１１０は登録指紋を生成することができる。例えば認証処理部１１０は、ユーザに対して指を指紋検出部８０に接触させるように報知する。この報知は例えば表示部３０に報知内容を表示して行われてもよい。ユーザが所定の第１指を指紋検出部８０に接触させると、指紋検出部８０がその第１指の指紋を検出し、これを認証処理部１１０へと出力する。認証処理部１１０はこの指紋を、第１認証で採用する第１登録指紋として記憶部に記憶する。続いて、認証処理部１１０は他の指を指紋検出部８０に接触するように報知を行う。ユーザが所定の第２指を指紋検出部８０に接触させると、指紋検出部８０がその第２指の指紋を検出し、これを認証処理部１１０へと出力する。認証処理部１１０はこの指紋を、第２認証で採用する第２登録指紋として記憶部に記憶する。
【００５４】
これにより、ユーザは、第１認証で採用される第１登録指紋として、第１指（例えば人差し指）の指紋を採用することができ、第２認証で採用される第２登録指紋として、第１指とは異なる第２指（例えば中指）の指紋を採用することができる。
【００５５】
図５は、制御部１０の上述の認証動作の一例を示すフローチャートの一例を示す図である。まずステップＳＴ１にて、制御部１０はロックモードを採用する。これにより、電子機器１への入力が制限される。次にステップＳＴ２にて、認証処理部１１０は、認証を開始する開始トリガが、ユーザによって入力されたか否かを判断する。例えば指紋認証の場合には、指紋検出部８０による指紋検出を開始トリガとして採用することができる。つまり、ユーザが指を例えば操作キー５に接触させることで、指紋検出部８０が指の指紋を検出し、これを認証処理部１１０へと出力する。認証処理部１１０はこの検出指紋の入力によって開始トリガが入力されたと判断する。
【００５６】
開始トリガが入力されていないと判断したときには、再びステップＳＴ２を実行する。開始トリガが入力されたと判断したときには、ステップＳＴ３にて、認証処理部１１０は睡眠検出部７０によって睡眠が検出されたか否かを判断する。この判断は、睡眠検出部７０からの検出結果を認証処理部１１０が受け取ることで行われる。睡眠検出部７０が睡眠を検出していないと判断したときには、ステップＳＴ４にて、認証処理部１１０は、第１認証部１１による第１認証が成功したか否かを判断する。例えば第１認証部１１は検出指紋と第１登録指紋との類否を判断する。検出指紋が第１登録指紋と類似しないと判断したときには、第１認証が失敗したと判断し、再びステップＳＴ２を実行する。つまり、第１認証が失敗したときには、ロックモードを解除せずに、再びステップＳＴ２を実行する。
【００５７】
検出指紋が第１登録指紋と類似すると判断したときには、第１認証が成功したと判断し、ステップＳＴ６にて、制御部１０はロックモードを解除する。これにより、例えば電子機器１への全ての入力が有効となる。
【００５８】
ステップＳＴ３にて睡眠が検出されたと判断したときには、ステップＳＴ５にて、認証処理部１１０は第２認証部１２による第２認証が成功したか否かを判断する。例えば第２認証部１２は検出指紋と第２登録指紋との類否を判断する。そして、検出指紋が第２登録指紋と類似しないと判断したときには、第２認証が失敗したと判断し、再びステップＳＴ２を実行する。つまり、第２認証が失敗したときには、ロックモードを解除せずに、再びステップＳＴ２を実行する。
【００５９】
検出指紋が第２登録指紋と類似すると判断したときには、第２認証が成功したと判断し、ステップＳＴ６にて、制御部１０はロックモードを解除する。これにより、例えば電子機器１への全ての入力が有効となる。
【００６０】
以上のように、本認証方法によれば、睡眠が検出されていないときには第１認証が行われ、睡眠が検出されているときには、第１認証とは異なる第２認証が行われる。これによれば、新規なユーザ認証機能を提供することができる。
【００６１】
ここで、本実施の形態とは異なって、睡眠検出の有無に関わらず、同じ認証を採用する場合について考察する。例えばユーザが起きているときに、電子機器１を操作して認証を成功させる。このとき、その認証に対する操作内容が第三者に看取される場合がある。例えば、ユーザが第１指（例えば人差し指）の指紋によって指紋認証を行う様子は、第三者に看取され得る。そして、ユーザの睡眠中にその第三者が電子機器１に対して、その操作を行うと、ロックモードが解除され、第三者は電子機器１を使用することができる。例えば第三者がユーザの第１指を例えば操作キー５に接触させることにより、ロックモードを解除することができる。
【００６２】
しかるに、本第１の実施の形態では、睡眠が検出されていないときには、第１認証とは異なる第２認証が行われる。よって、第三者がユーザの睡眠中に第１認証についての適切な操作を行ったとしても、第２認証は失敗する。例えば第三者が睡眠中のユーザの第１指を操作キー５に接触させたとしても、第２認証は失敗し、ロックモードは解除されない。したがって、第三者による電子機器１の不正な使用を抑制することができる。
【００６３】
特に、第三者はユーザがどの指を用いて指紋認証を行っているのかを看取しやすい。したがって本認証方法は、第１認証として指紋認証を採用する場合に、その効果を発揮しやすい。
【００６４】
＜第２認証部による指紋認証の他の第１具体例＞
睡眠が検出されたときに、第２認証部１２は、複数の指の指紋を一纏めにした指紋認証を行ってもよい。なぜなら、１本の指を対象とした指紋認証では、第三者は睡眠中のユーザの各指を一つずつ用いることで、いずれ第２認証を成功させることができるからである。そこで、複数の指の指紋を一纏めにした指紋認証を行うことにより、第２認証の困難性を向上させる。これにより、ユーザの睡眠中における、第三者による電子機器１の不正な使用を更に抑制できる。
【００６５】
図６は、複数の指を一纏めにした指紋認証を行う様子の一例を示している。図６の例示では、右手の人差し指、中指および薬指を同時に操作キー５に接触させている。
【００６６】
このような指紋認証を行うには、複数の指を一纏めにした指紋を第２登録指紋として記憶部に記憶する必要がある。そこで、例えば認証処理部１１０は第２登録指紋を登録する際に、複数の指を操作キー５に接触させるように、ユーザに報知しても構わない。ユーザが複数の指を操作キー５に接触させると、指紋検出部８０は複数の指を一纏めとした指紋を検出し、その指紋を認証処理部１１０へと出力する。認証処理部１１０はその指紋を第２登録指紋として、記憶部に記憶する。これにより、第２認証においては、複数の指を一纏めとした指紋認証が行われる。
【００６７】
＜第２認証部による指紋認証の他の第２具体例＞
第２認証部１２は、複数の第２登録指紋を用いた指紋認証を所定の順序で行い、その全ての指紋認証が成功したときに、第２認証が成功したと判断してもよい。これにより、ユーザの睡眠中における第２認証をより困難にすることができる。
【００６８】
複数の第２登録指紋としては、異なる指の指紋を採用することができる。一例として、３つの第２登録指紋Ｆ１〜Ｆ３を採用する。ここでは３つの第２登録指紋Ｆ１〜Ｆ３は、それぞれ、右手の人差し指、左手の人差し指および右手の中指の指紋である。第２認証を成功させるには、右手の人差し指、左手の人差し指および右手の中指を、この順序で、指紋検出部８０に接触させる必要がある。つまり、最初に検出された指紋と第２登録指紋Ｆ１とが類似し、次に検出された指紋と第２登録指紋Ｆ２とが類似し、最後に検出された指紋と第２登録指紋Ｆ３とが類似するときに、第２認証が成功する。図７は第２認証を行う様子の一例を概略的に示す図である。図７の例示では、右手の人差し指、左手の人差し指および右手の中指を、この順番で、操作キー５に接触させている。
【００６９】
図８は、第２認証部１２の上記動作の一例を示すフローチャートである。まずステップＳＴ１１にて、第２認証部１２は、指紋検出部８０によって指紋（第１検出指紋）が検出されたか否かを判断する。第１検出指紋が検出されていないと判断したときには、再びステップＳＴ１１を実行する。第１検出指紋が検出されたと判断したときには、ステップＳＴ１２にて、第２認証部１２は第１検出指紋と第２登録指紋Ｆ１との類否を判断する。第１検出指紋が第２登録指紋Ｆ１と類似しないと判断したときには、ステップＳＴ１８にて、第２認証部１２は認証が失敗したと判断する。
【００７０】
第１検出指紋が第２登録指紋Ｆ１と類似すると判断したときには、ステップＳＴ１３にて、次の指紋（第２検出指紋）が、所定時間内に検出されたか否かを判断する。所定時間内に第２検出指紋が検出されていないと判断したときには、ステップＳＴ１８にて、第２認証部１２は認証が失敗したと判断する。つまり、所定時間内に指を操作キー５に近づけないユーザは、不正な第三者であると判断する。
【００７１】
所定時間内に第２検出指紋が検出されたと判断したときには、ステップＳＴ１４にて、第２認証部１２は第２検出指紋と第２登録指紋Ｆ２との類否を判断する。第２検出指紋が第２登録指紋Ｆ２と類似しないと判断したときには、ステップＳＴ１８にて、第２認証部１８は認証が失敗したと判断する。
【００７２】
第２検出指紋が第２登録指紋Ｆ２と類似すると判断したときには、ステップＳＴ１５にて、次の指紋（第３検出指紋）が所定時間内に検出されたか否かを判断する。所定時間内に第３検出指紋が検出されていないと判断したときには、ステップＳＴ１８にて、第２認証部１２は認証が失敗したと判断する。
【００７３】
所定時間内に第３検出指紋が検出されたと判断したときには、ステップＳＴ１６にて、第２認証部１２は第３検出指紋と第２登録指紋Ｆ３との類否を判断する。第３検出指紋が第２登録指紋Ｆ３と類似しないと判断したときには、ステップＳＴ１８にて、第２認証部１２は認証が失敗したと判断する。
【００７４】
第３検出指紋が第２登録指紋Ｆ３と類似すると判断したときには、ステップＳＴ１７にて、第２認証部１２は認証が成功したと判断する。つまり、第１検出指紋から第３検出指紋がすべて正しいときに、第２認証が成功したと判断される。
【００７５】
以上のように、この第２認証では、複数の指を所定の順序で操作キー５（指紋検出部８０）に近づける必要がある。よって、第２認証を成功させにくい。したがってユーザの睡眠中における、第三者による電子機器１の不正な使用を更に抑制することができる。
【００７６】
第２の実施の形態．
第１の実施の形態では、第２認証として指紋認証を採用した。第２の実施の形態では、パスワード認証を採用する。
【００７７】
第２認証部１２は認証画面を表示部３０に表示する。図９および図１０は認証画面の一例を概略的に示す図である。図９および図１０の例示では、認証画面には、パスワードを入力するためのボタンとして機能する要素Ｋ１〜Ｋ１０が表示されている。ここでは一例として、パスワードは数字で構成されており、要素Ｋ１〜Ｋ１０はそれぞれ数字の「０」〜「９」を入力するためのボタンとして機能する。要素Ｋ１〜Ｋ１０には、それぞれ対応する数字が付記されている。
【００７８】
なおパスワードは必ずしも数字のみに限らず、任意のテキスト（数字、文字および記号など）を採用することができる。この場合、ロック解除画面には、テキストを入力するためのボタンとして機能する要素が表示されることになる。
【００７９】
第２認証部１２はこの要素Ｋ１〜Ｋ１０を時間の経過とともに移動させて表示する。つまり、要素Ｋ１〜Ｋ１０の表示位置を時間の経過と共に、例えば連続的に変化させる。図９は、ある第１時点の認証画面を示し、図１０は第１時点よりも後の第２時点の認証画面を示している。なお図１０の例示では、図９の各要素Ｋ１〜Ｋ１０を二点鎖線で示している。また図９および図１０の例示では、要素Ｋ２〜Ｋ４が一塊として移動し、要素Ｋ５〜Ｋ７が一塊として移動し、要素Ｋ８〜Ｋ１０が一塊として移動している。図１０の例示では、要素Ｋ１および各塊の移動方向がそれぞれブロック矢印で示されている。
【００８０】
各要素Ｋ１〜Ｋ１０に対する操作は、タッチパネル５２によって検出されて、第２認証部１２へと入力される。ユーザが要素Ｋ１〜Ｋ１０を適宜に順次に操作することで、第２認証部１２にはパスワードが入力されることとなる。第２認証部１２は、入力されたパスワードが正当なパスワードであるか否かを判断する。正当なパスワードは予め設定されて記憶部に記憶されていればよい。パスワードが正当であれば、第２認証部１２は第２認証が成功したと判断し、パスワードが不当であれば、第２認証部１２は第２認証が失敗したと判断する。
【００８１】
以上のように、ユーザの睡眠中に実行される第２認証によれば、要素Ｋ１〜Ｋ１０の表示位置が、時間の経過と共に変わる。よってパスワードの入力が困難となり、ひいては第２認証を成功させにくい。したがって、ユーザの睡眠中における、第三者による電子機器１の不正な使用を更に抑制することができる。また、ユーザが例えば寝ぼけながら電子機器１を操作しようとした際にも、パスワードの入力が困難となり、第２認証を成功させにくい。ところで、ユーザが十分に目覚めていない状態では、誤操作を行いやすい。ここでは不十分な状態（十分に目覚めていない状態）でユーザが電子機器１を操作しようとしても、第２認証を成功させにくく、そのような誤操作を抑制できる。
【００８２】
また図９および図１０の例示では、各要素Ｋ１〜Ｋ１０は適宜に回転しつつ移動している。これにより、各要素Ｋ１〜Ｋ１０に付記される数字も回転する。よって、ユーザは各要素Ｋ１〜Ｋ１０に付記された数字を読み取りにくい。これにより、パスワード入力の困難性を更に向上することができる。
【００８３】
また図９および図１０において、表示領域２ａに表示された各要素Ｋ１〜Ｋ１０付近に指紋認証機能を持たせてもよい。例えば指紋検出部８０は、表示領域２ａのうち要素Ｋ１〜Ｋ１０が移動可能な領域に触れる指の指紋を検出してもよい。また指紋検出部８０は表示領域２ａに触れる指の指紋を検出してもよい。これにより、ユーザの指を用いたパスワード入力が必要となり、例えば、第三者による電子機器１の不正な使用を抑制することができる。また、上述したように、不十分な状態でのユーザの操作を抑制することができる。
【００８４】
＜第１認証＞
第１の実施の形態では、第１認証として指紋認証を採用しているものの、指紋認証と共に、あるいは、指紋認証に替えて、パスワード認証を採用してもよい。
【００８５】
例えば第１認証部１１は指紋認証が成功した後に、パスワード用の認証画面を表示部３０に表示してもよい。図１１はこの認証画面の一例を概略的に示す図である。認証画面には、パスワードを入力するボタンとして機能する要素Ｋ１〜Ｋ１０が設けられている。この要素Ｋ１〜Ｋ１０は時間の経過に依らず所定の位置に表示されていればよい。
【００８６】
各要素Ｋ１〜Ｋ１０に対する操作は、タッチパネル５２によって検出されて、第１認証部１１と入力される。ユーザが要素Ｋ１〜Ｋ１０を適宜に操作することで、第１認証部１１にはパスワードが入力される。第１認証部１１は、入力されたパスワードが正当なパスワードであるか否かを判断する。入力されたパスワードが正当であれば、第１認証部１１は第１認証が成功したと判断し、このパスワードが不当であれば、第１認証部１１は第１認証が失敗したと判断する。
【００８７】
＜第２認証＞
第１認証および第２認証においてパスワード認証が採用される場合、例えば、第１認証用の正当パスワードは第２認証用の正当パスワードと異なっていてもよい。これによれば、第三者がユーザの操作を視認して第１認証用のパスワードを不正に取得したとしても、正規なユーザの睡眠中においては、そのパスワードでは第２認証が失敗する。よって第三者による電子機器１の不正な使用を抑制することができる。この場合、第１認証および第２認証は、正当パスワードという点で互いに相違する。
【００８８】
＜パスワード入力用の要素に対する操作＞
第２認証における要素Ｋ１〜Ｋ１０への操作は第１認証における要素Ｋ１〜Ｋ１０への操作と相違していてもよい。例えば第１認証における要素Ｋ１〜Ｋ１０に対する操作としては、タップ操作を採用できる。タップ操作とは、操作子を表示領域２ａに近接させ、その後の第１所定時間内に操作子を表示領域２ａから遠ざける操作である。なおここでいう近接は、操作子と表示領域２ａとの接触を含み、また、操作子が表示領域２ａとわずかに離間した状態も含む。
【００８９】
一方で、第２認証における要素Ｋ１〜Ｋ１０に対する操作としては、例えばタップ操作以外の操作を採用できる。例えばロングタップ操作またはダブルタップ操作を採用してもよい。ロングタップ操作とは、操作子を表示領域２ａに近接させた状態を第１所定時間よりも長く維持し、その後、操作子を表示領域２ａから遠ざける操作である。ダブルタップ操作とは、タップ操作を連続して２回行う操作である。
【００９０】
これによれば、第三者がユーザの操作を視認して、第１認証における各要素Ｋ１〜Ｋ１０への操作方法を認識したとしても、ユーザの睡眠中では、その操作方法によっては要素Ｋ１〜Ｋ１０への操作を行うことができない。つまり、その操作方法によってはパスワードの入力すら行うことができない。よって、第２認証を成功させにくい。したがってユーザの睡眠中における、第三者による電子機器１の不正な使用を更に抑制することができる。
【００９１】
また第２認証における要素Ｋ１〜Ｋ１０に対する操作は、例えば、各要素Ｋ１〜Ｋ１０を始点とした所定位置へのスライド操作であってもよい。スライド操作とは、操作子を表示領域２ａに近接させた状態で、その操作子を表示領域２ａと平行に移動させる操作である。
【００９２】
図１２は、第２認証における操作の様子の一例を概略的に示す図である。図１２に例示する認証画面には、要素Ｍ１が更に表示されている。要素Ｍ１は上記所定位置に表示されている。例えばユーザは操作子（図１２では指）を要素Ｋ２に近接させてから、その操作子を要素Ｍ１へとスライドさせる。なお図１２の例示では、スライド操作の方向をブロック矢印で示している。このスライド操作はタッチパネル５２によって検出されて第２認証部１２へと出力される。第２認証部１２は、操作された要素Ｋ２に対応する数字（図１０では「２」）を、パスワードの構成要素の一つとして把握する。ユーザは要素Ｋ１〜Ｋ１０に対する上記スライド操作を順次に適宜に行うことで、パスワードを入力することができる。
【００９３】
以上のように、各要素を始点とした所定位置までのスライド操作を、第２認証におけるパスワード入力に採用すれば、第２認証におけるパスワード入力の困難性を向上することができる。したがって、ユーザの睡眠中における、第三者による電子機器１の不正な使用を更に抑制することができる。
【００９４】
なお、図９〜１３の具体例において、要素Ｋ１〜Ｋ１０が指紋を認証する機能を有していてもよい。例えば指紋検出部８０は、表示領域２ａのうち要素Ｋ１〜Ｋ１０が表示された領域に触れる指の指紋を検出してもよい。この機能を有していることにより、例えば、パスワードを入力するために第三者が要素Ｋ１〜Ｋ１０を用いた場合、要素Ｋ１〜Ｋ１０により検出された指紋がユーザの指紋でなければ、認証を失敗させることができ、第三者による電子機器１の不正な使用を更に抑制することができる。また、第三者の指紋を記憶し、電子機器またはサーバに保存された指紋と比較することで、第三者を特定することも可能となる。
【００９５】
また、第２認証における要素Ｋ１〜Ｋ１０のサイズを、第１認証における要素Ｋ１〜Ｋ１０のサイズよりも小さくしてもよい。図１３は、第１認証および第２認証における認証画面の一例を概略的に示している。図１３の紙面左側の認証画面が第１認証における認証画面であり、紙面右側の認証画面が第２認証における認証画面である。図１３に例示するように、第２認証における要素Ｋ１〜Ｋ１０のサイズは第１認証における要素Ｋ１〜Ｋ１０のサイズよりも小さくてもよい。
【００９６】
これにより、第２認証における要素Ｋ１〜Ｋ１０を操作しにくい。よって、第２認証においてパスワードを入力しにくい。したがって、ユーザの睡眠中における、第三者による電子機器１の不正な使用を更に抑制することができる。
【００９７】
また第２認証部１２は、要素を用いたパスワードの入力を受け付ける必要はない。例えば光学文字認識を用いたパスワードの入力を受け付けてもよい。光学文字認識とは、文字、数字または記号を含む画像を解析し、その形状を把握して、文字、数字または記号に対応する文字コードを認識する技術である。以下では、文字、数字または記号を含む用語として、テキスト文字を採用する。
【００９８】
ここでは撮像部６０によって撮像された撮像画像を利用する。具体的には、ユーザは、パスワードの各構成要素（例えば数字）を撮像部６０で撮像する。例えば紙に印刷されたテキスト文字（例えば数字）を撮像する。第２認証部１２は、撮像部６０によって撮像された撮像画像を解析し、その撮像画像に含まれるテキスト文字の文字コードを認識し、そのテキスト文字をパスワードの一つの構成要素として把握する。
【００９９】
撮像部６０としては、第１撮像部６２および第２撮像部６４のいずれを用いてもよい。しかるに、外部の撮像は、電子機器１の裏面側に設けられた第２撮像部６４の方が行いやすい。よって第２撮像部６４を用いてもよい。具体的には、睡眠が検出された状態で認証を行うときには、第２認証部１２は第２撮像部６４に撮像を指示してもよい。当該指示を受け取った第２撮像部６４は撮像を行って、撮像画像を第２認証部１２へと出力する。
【０１００】
図１４は認証画面の一例を概略的に示す図である。この認証画面には、画像領域３０ａと、説明領域３０ｂとが設けられている。画像領域３０ａには、撮像部６０（例えば第２撮像部６４）によって撮像される撮像画像が表示される。つまり第２認証部１２は、撮像部６０から撮像画像を受け取り、これを画像領域３０ａに表示する。説明領域３０ｂには、パスワードの構成要素（例えば数字）を画像領域３０ａに映すよう、ユーザに促す文章が表示される。図１４の例示では、「パスワードの構成要素を映して下さい。」と表記されている。また図１４の例示では、画像領域３０ａには、数字の「２」が映されている。
【０１０１】
第２認証部１２は撮像部６０からの撮像画像を、光学文字認識の手法を用いて解析し、撮像画像に含まれるテキスト文字の文字コードを認識し、これを、パスワードの構成要素として判断する。ユーザが順次にテキスト文字を画像領域３０ａに映すことにより、パスワードを入力することができる。
【０１０２】
これによっても、第２認証においてパスワードを入力しにくい。なぜなら、パスワード入力のために、所望のテキスト文字（例えば「２」）が記された資料などを用意または見つける必要があるからである。したがって、ユーザの睡眠中における、第三者による電子機器１の不正な使用を更に抑制することができる。
【０１０３】
なお光学文字認識の開始トリガとしては任意の条件を採用してよいものの、例えば所定時間に亘って撮像画像の内容が変化しないときに、光学文字認識を開始してもよい。また例えば、開始トリガ用のボタンとして機能する要素を認証画面に表示してもよい。この点は、後述する撮影画像に対する処理（顔認証および虹彩認証など）についても同様であるので、繰り返しの説明を避ける。
【０１０４】
第３の実施の形態．
第３の実施の形態では、ユーザの睡眠中に実行される第２認証の、他の例について述べる。例えば第２認証として生体認証を採用してもよい。以下、具体例について述べる。
【０１０５】
例えば第２認証として、顔認証を採用してもよい。例えば第２認証部１２は顔認証画面を表示部３０に表示する。図１５は顔認証画面の一例を概略的に示す図である。顔認証画面には、画像領域３０ａと、説明領域３０ｂとが設けられている。画像領域３０ａには、撮像部６０によって撮像される撮像画像が表示される。なお撮像部６０としては、第１撮像部６２および第２撮像部６４のいずれを用いてもよい。電子機器１の前面側に設けられた第１撮像部６２の方がユーザの顔を撮像しやすい。よって第１撮像部６２を用いてもよい。具体的には、睡眠が検出された状態で認証を行うときには、第２認証部１２は第１撮像部６２に撮像を指示してもよい。当該指示を受け取った第１撮像部６２は撮像を行って、撮像画像を第２認証部１２へと出力する。
【０１０６】
説明領域３０ｂには、顔認証の使用方法を説明する文章が表示される。例えば、画像領域３０ａに顔を映すように、ユーザに指示する文章を表示する。図１５の例示では、「顔認証が必要です。顔を映して下さい。」と表示されている。
【０１０７】
第２認証部１２は、撮像部６０によって撮像された撮像画像を解析し、その撮像画像に含まれる人物の顔の画像を抽出する。そして、抽出された顔の画像と、予め記憶部に記憶されたユーザの顔の画像との類否を判断する。このような顔認識のアルゴリズムとしては、任意の方法を採用すればよい。例えば顔の画像から特徴点を抽出し、その特徴点が登録された顔の画像の特徴点と類似するか否かを判断する。これらの顔の画像が類似すると判断したときには、第２認証が成功したと判断し、類似しないときには、第２認証が失敗したと判断する。
【０１０８】
あるいは、第２認証として、虹彩認証を採用してもよい。例えば第２認証部１２は虹彩認証画面を表示部３０に表示する。図１６は虹彩認証画面の一例を概略的に示す図である。虹彩認証画面には、画像領域３０ａと、説明領域３０ｂとが設けられている。画像領域３０ａには、撮像部６０によって撮像される撮像画像が表示される。なお撮像部６０としては、第１撮像部６２および第２撮像部６４のいずれを用いてもよい。しかるに、電子機器１の前面側に設けられた第１撮像部６２の方がユーザの目を撮像しやすい。よって第１撮像部６２を用いてもよい。そこで、睡眠が検出された状態で認証を行うときには、第２認証部１２は、第１撮像部６２に撮像を指示してもよい。当該指示を受け取った第１撮像部６２は撮像を行って、撮像画像を第２認証部１２へと出力する。
【０１０９】
説明領域３０ｂには、虹彩認証の使用方法を説明する文章が表示される。例えば、画像領域３０ａにユーザの目を映すように、ユーザに指示する文章を表示する。図１６の例示では、「虹彩認証が必要です。目を映して下さい。」と表示されている。
【０１１０】
第２認証部１２は、撮像部６０によって撮像された撮像画像を解析し、その撮像画像に含まれる目の画像を抽出する。この目の画像には、虹彩の情報が含まれている。そして、抽出された目の画像と、予め記憶部に記憶されたユーザの目の画像との類否を判断する。これらの画像が類似すると判断したときには、第２認証が成功したと判断し、類似しないときには、失敗したと判断する。
【０１１１】
あるいは、第２認証として声紋認証を行ってもよい。例えば第２認証部１２は声紋認証画面を表示部３０に表示する。図１７は声紋認証画面の一例を概略的に示す図である。声紋認証画面には、声紋認証の使用方法を説明する文章３０ｃが表示される。この文章３０ｃは、指定された言葉を発するように、ユーザに促す文章である。図１７の例示では、「指定されたパスワードを言って下さい。」と表示されている。
【０１１２】
第２認証部１２は、音声入力部４６から入力される音声信号を解析して、ユーザの声紋を示す声紋情報を生成する。この声紋情報は、音声信号に対して例えばフーリエ変換などの処理を施すことで生成される。そして第２認証部１２はこの声紋情報が、予め記憶部に記憶されたユーザの声紋情報と類似するか否かを判断する。これらが類似すると判断したときには、第２認証が成功したと判断し、これらが類似しないと判断したときには、第２認証が失敗したと判断する。
【０１１３】
第３の実施の形態においても、第１認証とは異なる第２認証が行われるので、ユーザの睡眠中における、第三者による電子機器１の不正な使用を抑制できる。
【０１１４】
第４の実施の形態．
第４の実施の形態は、必ずしも第１から第３の実施の形態を前提としない。つまり、第４の実施の形態では、必ずしも、睡眠の検出の有無に応じて認証方法を変更する必要はない。
【０１１５】
図１８は、制御部１０の内部構成の一例を概略的に示す図である。制御部１０は認証処理部１１０と録画処理部１２０とを備えている。認証処理部１１０は睡眠の検出の有無によらずに同じ認証を行ってもよいし、あるいは、第１から第３の実施の形態のように、第１認証部１１および第２認証部１２を備えていてもよい。
【０１１６】
録画処理部１２０は、睡眠検出部７０が睡眠を検出し、かつ、認証処理部１１０が認証を行うときに、第１撮像部６２を用いた録画処理を行うことができる。つまりユーザの睡眠中に第三者による認証が行われるときには、第１撮像部６２を用いた録画処理が行われる。なおここでいう録画とは、撮像部によって撮像画像を生成し、その撮像画像を不揮発性の記憶部に記憶することを言う。
【０１１７】
図１９は、制御部１０の上記動作の一例を示すフローチャートである。なおこのフローチャートでは、第１の実施の形態と同様に、睡眠検出の有無に応じて第１認証および第２認証を採用した場合の動作を示している。これは後述する他の実施の形態でも同様であるので、以下では繰り返しの説明を避ける。
【０１１８】
図１９の動作では、図５と比較して、ステップＳＴ７１〜ＳＴ７３が更に実行される。ステップＳＴ７１は、ステップＳＴ３にて睡眠が検出されたと判断したときに実行される。ステップＳＴ７１にて、録画処理部１２０は第１撮像部６２へと撮像指示を行う。第１撮像部６２がこの撮像指示に応じて撮像を開始し、その撮像画像を録画処理部１２０へと出力する。録画処理部１２０は、その撮像画像を不揮発性の記憶部（例えば記憶部１０３など）に記憶する。これにより、録画が行われる。
【０１１９】
ステップＳＴ７１の次には、ステップＳＴ５が実行される。ステップＳＴ５にて第２認証が成功したと判断したときには、ステップＳＴ７２にて録画処理部１２０は録画処理を終了する。次にステップＳＴ６にて、制御部１０がロックモードを解除する。ステップＳＴ５にて第２認証が失敗したと判断したときには、ステップＳＴ７３にて録画処理部１２０は録画処理を終了する。次に、再びステップＳＴ２を実行する。
【０１２０】
以上のように、第２認証の実行中において第１撮像部６２による録画が行われる。第１撮像部６２は電子機器１の前面側を撮像するところ、この撮像範囲に第三者が位置していれば、この第三者を撮像することができる。したがって、制御部１０が記憶部に記憶された撮像画像を再生することにより、ユーザの睡眠中に電子機器１を操作しようとした第三者を特定することができる。
【０１２１】
なおステップＳＴ５にて肯定的な判断がなされたときには、ロックモードを解除した後に、録画を終了してもよい。
【０１２２】
第５の実施の形態．
第５の実施の形態は、必ずしも第１から第４の実施の形態を前提としない。図２０は、制御部１０の内部構成の一例を概略的に示す図である。制御部１０は、認証処理部１１０とダミーエラー表示部１３０とを備えている。認証処理部１１０は睡眠の検出の有無によらずに同じ認証を行ってもよいし、あるいは、第１から第３の実施の形態のように、第１認証部１１および第２認証部１２を備えていてもよい。
【０１２３】
ダミーエラー表示部１３０は、認証開始のトリガが入力され、かつ、睡眠が検出されているときに、ダミーエラー画面を表示部３０に表示することができる。つまり、ユーザの睡眠中に第三者による認証が行われるときには、ダミーエラー画面を表示する。図２１は、ダミーエラー画面の一例を概略的に示す図である。図２１の例示では、ダミーエラー画面には、電子機器１が使用できない旨の表示が行われる。図２１の例示では文章３０ｄが表示されており、文章３０ｄとして「今は使用できません。」と表示されている。
【０１２４】
また図２１の例示では、ダミーエラー画面には、要素３０ｅが表示されている。要素３０ｅはダミーエラー画面の表示を終了するためのボタンとして機能する。
【０１２５】
認証処理部１１０は、ダミーエラー画面の表示から所定時間が経過したときに、認証（例えば第２認証）を行うための入力を受け付ける。例えば、指紋検出部８０によって検出された指紋の入力を受け付けたり、あるいは、認証画面を表示部３０に表示して要素Ｋ１〜Ｋ１０への入力を受け付ける。なお時間の経過は任意の計時部（例えばタイマ回路）によって測定すればよい。
【０１２６】
図２２は、制御部１０の上記動作の一例を示すフローチャートである。図２２の動作では、図５と比較して、ステップＳＴ８１〜ＳＴ８４が更に実行される。ステップＳＴ８１は、ステップＳＴ３にて睡眠を検出したと判断したときに実行される。ステップＳＴ８１においては、ダミーエラー表示部１３０はダミーエラー画面を表示部３０に表示する。次にステップＳＴ８２にて、ダミーエラー表示部１３０は、要素３０ｅに対する操作が行われたか否かを判断する。要素３０ｅに対する操作が行われたと判断したときには、ステップＳＴ８４にて、ダミーエラー表示部１３０はダミーエラー画面の表示を終了する。そして再びステップＳＴ２を実行する。つまりダミーエラー画面の表示中に要素３０ｅが操作されると、認証を行わない。
【０１２７】
一方で、ステップＳＴ８２にて要素３０ｅに対する操作が行われていないと判断すると、ステップＳＴ８３にて、認証処理部１１０は、ステップＳＴ８１の実行から所定時間が経過したか否かを判断する。所定時間が経過していないときには、再びステップＳＴ８２を実行する。ステップＳＴ８３にて所定時間が経過していると判断したときには、ステップＳＴ５を実行する。
【０１２８】
以上のように本認証方法によれば、ダミーエラー画面の表示から所定期間経過後に、認証処理部１１０による認証が行われる。よって、このような機能を知らない第三者は、ダミーエラー画面によって電子機器１が使用できないと誤解する。したがって、第三者は例えばダミーエラー画面の表示を終了すべく、要素３０ｅを押下して電子機器１の操作を終了する。これにより、第三者による電子機器１の不正な使用を更に抑制することができる。
【０１２９】
なお要素３０ｅは必ずしも表示する必要はない。例えば操作キー５（例えば電源キー５Ａ）への押下に応答して、ダミーエラー画面を終了してもよい。さらには、電源キー５Ａの押下に応答して、表示部３０の表示を終了してもよい。例えば表示部３０が液晶表示パネルである場合には、バックライトを消灯させてもよい。これにより、ダミーエラー画面の表示を終了できるからである。
【０１３０】
また電源キー５Ａの押下に応答して、制御部１０はスリープモードを採用してもよい。スリープモードとは、電子機器１における、表示機能を含む一部の機能を停止するモードである。スリープモードでは、表示部３０、タッチパネル５２および指紋検出部８０等の電子機器１の一部の構成が動作しない。これにより、スリープモードでは、電子機器１の消費電力が低減する。一方で、スリープモードでは、例えば制御部１０は無線通信部２０を介して通話用またはメッセージ用の着信信号を受信することができる。
【０１３１】
ユーザは電子機器１を使用しないときには、スリープモードを採用することが多い。つまり、ユーザの睡眠中に第２認証を行おうとする第三者が、上記ダミーエラー画面を視認して、電子機器１を使用できないと判断したときには、電源キー５Ａが押下されることが多い。この場合、第２認証を終了してスリープモードを採用してもよい。
【０１３２】
またスリープモードにおいて電源キー５Ａが押下されると、制御部１０はこの押下に応答して、スリープモードを解除してもよい。また認証処理部１１０はこの押下を、認証開始のトリガとみなしてもよい。つまり、スリープモードにおける電源キー５Ａの押下に応答して、本認証方法を再び実行してもよい。電源キー５Ａによる認証開始のトリガは他の実施の形態にも適用しても構わない。
【０１３３】
第６の実施の形態．
第６の実施の形態は、必ずしも第１から第５の実施の形態を前提としない。図２３は、制御部１０の内部構成の一例を概略的に示す図である。制御部１０は認証処理部１１０と表示制限部１４０とを備えている。認証処理部１１０は睡眠の検出の有無によらずに同じ認証を行ってもよいし、あるいは、第１から第３の実施の形態のように、第１認証部１１および第２認証部１２を備えていてもよい。
【０１３４】
制御部１０は、睡眠が検出され、かつ、認証が成功したときに、ロックモードを解除する。このとき、表示制限部１４０は、表示部３０に表示される情報を制限することができる。つまり、ユーザの睡眠中に第三者が認証を成功させたと考えられるときには、表示部３０に表示される情報を制限する。制限の対象となる情報は、ユーザによって生成または変更された情報である。
【０１３５】
例えば記憶部１０３には、予め記憶されたアプリケーションが記憶されているとともに、ユーザによって取得されたアプリケーションも記憶されている。例えば図２３に示すように、制御部１０はダウンロード部１５０を備えている。このダウンロード部１５０はユーザの入力に応答して、アプリケーションを取得することができる。ダウンロード部１５０は例えば無線通信部２０を介して、外部装置からアプリケーションを受信し、これを記憶部１０３に記憶する。このようにユーザ入力によって取得されるアプリケーションは、ユーザによって生成された情報の一例である。
【０１３６】
また電子機器１にはユーザによって各種の設定が行われてもよい。例えば図２３に示すように、制御部１０は設定部１６０を備えている。設定部１６０は電子機器１に対する種々の設定を、ユーザの入力に応じて行う。例えば表示部３０に表示する背景画像を、ユーザ入力に応じて設定することができる。このような背景画像はユーザによって変更された情報の一例である。
【０１３７】
例えば表示制限部１４０は、睡眠が検出された状態で認証が成功したときには、上記情報を表示部３０に表示しない。図２４は、認証が成功したとき、即ちロックモードが解除されたときに表示されるホーム画面の一例を概略的に示している。図２４の紙面左側のホーム画面は、睡眠が検出されていない状態で認証が成功したときに表示される画面（以下、正規ホーム画面と呼ぶ）である。紙面右側のホーム画面は、睡眠が検出された状態で認証が成功したときに表示される画面（以下、ダミーホーム画面と呼ぶ）である。
【０１３８】
図２４に例示するように、正規ホーム画面には、複数の要素３０ｅ，３０ｆが表示されている。要素３０ｅ，３０ｆはいずれもアプリケーションを起動するボタンとして機能する。要素３０ｅは、予め記憶部１０３に記憶されたアプリケーションに対応する要素であり、要素３０ｆは、ユーザによって取得されて記憶部１０３に記憶されたアプリケーションに対応する要素である。
【０１３９】
また図２４の例示では、正規ホーム画面では、背景画像３０ｇが表示されている。この背景画像３０ｇはユーザによって設定された背景画像であり、例えば山の画像である。
【０１４０】
一方で、ダミーホーム画面には、要素３０ｆは表示されずに要素３０ｅのみが表示されている。また、背景画像３０ｇは表示されていない。背景画像としては、予め設定された画像を表示してもよい。
【０１４１】
また上記情報としては、撮像部６０を用いて撮像した撮像画像、通話で用いる電話帳情報、他の電子機器との送受信するメッセージなども挙げられる。これらは、ホーム画面において表示することが可能である。
【０１４２】
以上のように、睡眠が検出されたときには、たとえ認証が成功しても、ユーザによって生成または変更された情報の表示が制限される。したがって、たとえ第三者によって電子機器１が操作されても、電子機器１からユーザの情報（例えば趣味、嗜好など）が第三者に知られにくい。
【０１４３】
図２５は制御部１０の上記動作の一例を示すフローチャートである。図２５の動作では、図５と比較して、ステップＳＴ６の替わりに、ステップＳＴ６１，ＳＴ６２が実行される。ステップＳＴ６１は、睡眠が検出されていない状態で認証が成功したときに実行される。図２５の例示では、ステップＳＴ６１はステップＳＴ４にて肯定的な判断がなされたときに実行される。ステップＳＴ６１にて、制御部１０はロックモードを解除する。制御部１０は例えば正規ホーム画面を表示する。
【０１４４】
ステップＳＴ６２は、睡眠が検出された状態で認証が成功したときに実行される。図２５の例示では、ステップＳＴ６２はステップＳＴ５にて肯定的な判断がなされたときに実行される。ステップＳＴ６２にて、表示制限部１４０は、表示部３０に表示される情報を制限しつつ、制御部１０がロックモードを解除する。例えば制御部１０はダミーホーム画面を表示する。
【０１４５】
なお、表示制限部１４０は、ユーザによって生成または変更された全ての情報の表示を制限する必要はなく、少なくとも一つの情報の表示を制限すればよい。また、制限対象となる情報はホーム画面の情報に限らない。例えば各アプリケーションにてユーザによって生成または変更された情報を制限してもよい。例えば通話アプリケーションにおいて、電話帳情報を表示しなくてもよい。電話帳情報には、電話番号と個人情報（例えば名前など）が含まれており、この電話帳情報もユーザによって生成または変更される情報の一つである。
【０１４６】
また制限対象となる情報は予め設定されてもよく、ユーザによって設定されてもよい。
【０１４７】
第７の実施の形態．
第７の実施の形態では、第２認証を行う条件について述べる。第７の実施の形態は必ずしも第１から第６の実施の形態を前提としない。
【０１４８】
＜加速度＞
図２６は電子機器１の電気的な構成の一例を概略的に示す図である。この電子機器１は図３と比較して、加速度検出部９０を備えている。加速度検出部９０は、電子機器１に発生する加速度を検出できる。加速度検出部９０は例えばひずみゲージ式、圧電素子式、あるいは静電容量式の加速度センサを採用することができる。ユーザが電子機器１を空間的に動かすと、その動きに応じた加速度が電子機器１に発生する。加速度検出部９０はこの加速度を検出し、その加速度を制御部１０へと出力する。
【０１４９】
ユーザが電子機器１を操作し始めるときには、まず、ユーザにとって操作しやすい位置に電子機器１を空間的に移動させることが多い。このとき、加速度検出部９０は、電子機器１に生じる加速度を検出することになる。言い換えれば、認証を開始するときに、加速度検出部９０が加速度を検出することとなる。
【０１５０】
一方で第三者は例えばユーザが入眠するときに載置された電子機器１を動かさずに電子機器１を操作すれば、ユーザが目覚めたときに、電子機器１を操作したことがユーザにばれにくい。つまり、電子機器１を動かさないで電子機器１が操作されるときには、その操作は第三者による操作である可能性が高いと考えることができる。言い換えれば、電子機器１が長時間に亘って空間的に静止している状態で認証が開始されるときには、その操作者は正規なユーザではなく、不正な第三者であると考えることができる。
【０１５１】
そこで認証処理部１１０は、加速度検出部９０によって検出される加速度の変化量が所定時間に亘って所定の加速度基準値を下回っているときには、第２認証部１２による認証を行ってもよい。これにより、第三者が操作している可能性が高いときに、通常の第１認証とは異なる第２認証を行うことができる。よって、第三者がユーザの第１認証に対する操作内容を不正に取得したとしても、その操作内容によっては第２認証は失敗する。したがって、第三者による電子機器１の不正な使用を抑制することができる。
【０１５２】
図２７は制御部１０の上記動作の一例を示すフローチャートである。なお第７の実施の形態では第２認証の条件の一つして睡眠検出を採用する必要はないものの、このフローチャートでは、第１の実施の形態と同様に、睡眠検出を採用した場合の動作を示している。この点は後述する他のフローチャートについても同様であるので、以下では繰り返しの説明を避ける。
【０１５３】
図２７の動作では、図５と比較して、ステップＳＴ３１が更に実行される。ステップＳＴ３１はステップＳＴ２にて肯定的な判断がなされたときに実行される。図２７の例示では、ステップＳＴ３１はステップＳＴ３にて否定的な判断がなされたときに実行される。ステップＳＴ３１においては、認証処理部１１０は、所定期間における加速度の変化量が加速度基準値よりも小さいか否かを判断する。所定期間は、ステップＳＴ２の実行時点を含む期間であってよい。つまり、認証開始のトリガが入力される時点よりも前の加速度をも用いてもよい。大小関係の判断は所定の比較器を用いて行うことができる。
【０１５４】
加速度の変化量が加速度基準値よりも大きいと判断したときには、ステップＳＴ４を実行する。つまり、睡眠が検出されず、かつ、加速度の変化量が加速度基準値よりも大きいときに、正規なユーザが操作していると考えて、第１認証を行う。一方でステップＳＴ３１にて加速度の変化量が加速度基準値よりも小さいと判断したときには、ステップＳＴ５を実行する。つまり、睡眠が検出されたり、あるいは、加速度の変化量が加速度基準値よりも小さいときには、第三者が操作していると考えて、第２認証を行う。したがって、第三者による電子機器の使用を更に抑制することができる。
【０１５５】
なおステップＳＴ３，ＳＴ３１の実行順序は逆であってもよい。つまり、ステップＳＴ３１にて否定的な判断がなされたときに、ステップＳＴ３を実行し、ステップＳＴ３にて否定的な判断がなされたときに、ステップＳＴ４を実行してもよい。この点は後述する他のフローチャートも同様である。
【０１５６】
＜傾斜＞
図２８は電子機器１の電気的な構成の一例を概略的に示す図である。この電子機器１は図３と比較して、傾斜検出部９２を備えている。傾斜検出部９２は、基準面（例えば地面）に対する電子機器１の傾斜角度を検出できる。例えば傾斜検出部９２は加速度検出部を備えている。この加速度検出部は電子機器１に発生する３方向の加速度を検出することができる。電子機器１に発生する加速度には、重力加速度が含まれているので、加速度検出は、電子機器１に対する重力加速度の方向を検出することができる。これにより、電子機器１の傾斜角度を算出することができる。傾斜検出部９２は、検出した傾斜角度を制御部１０へと出力する。
【０１５７】
正規なユーザが電子機器１を操作するときの傾斜角度とは異なる傾斜角度で、電子機器１が操作されているときには、その操作者は第三者である可能性が高いと考えることができる。
【０１５８】
そこで認証処理部１１０は、傾斜検出部９２によって検出される傾斜角度が所定の範囲外であるときに、第２認証部１２による認証を行ってもよい。所定の範囲は、ユーザによって設定されてもよい。あるいは、実際にユーザが操作するときの傾斜角度に基づいて所定範囲を決定してもよい。具体的には、ユーザによる第１認証が行われるときに、電子機器１の傾斜角度を傾斜検出部９２によって検出し、認証処理部１１０がこの傾斜角度に基づいて所定の範囲を決定してもよい。例えば第１認証が行われるときの傾斜角度を含む所定の角度範囲を所定範囲に採用してもよい。
【０１５９】
これにより、第三者が操作している可能性が高いときに、通常の第１認証とは異なる第２認証を行うことができる。
【０１６０】
図２９は制御部１０の上記動作の一例を示すフローチャートである。図２９の動作では、図５と比較して、ステップＳＴ３２が更に実行される。ステップＳＴ３２はステップＳＴ２にて肯定的な判断がなされたときに実行される。図２９の例示では、ステップＳＴ３２はステップＳＴ３にて否定的な判断がなされたときに実行される。ステップＳＴ３２においては、認証処理部１１０は、傾斜検出部９２によって検出された傾斜角度が所定の範囲外であるか否かを判断する。
【０１６１】
傾斜角度が所定の範囲内であると判断したときには、ステップＳＴ４を実行する。つまり、睡眠が検出されず、かつ、傾斜角度が所定範囲内であるときに、正規なユーザが操作していると考えて、第１認証を行う。一方でステップＳＴ３２にて傾斜角度が所定範囲外であると判断したときには、ステップＳＴ５を実行する。つまり、睡眠が検出されたり、あるいは、傾斜角度が所定範囲外であるときには、第三者が操作していると考えて、第２認証を行う。したがって、第三者による電子機器の不正な使用を更に抑制することができる。
【０１６２】
＜時間帯＞
図３０は電子機器１の電気的な構成の一例を概略的に示す図である。この電子機器１は図３と比較して、現在時刻取得部９４を更に備えている。現在時刻取得部９４は現在時刻を取得することができる。現在時刻取得部９４は計時部（例えばタイマ回路）であって、自身で現在時刻をカウントしてもよい。あるいは、現在時刻取得部９４は無線通信部２０を介して外部装置から現在時刻を取得してもよい。現在時刻取得部９４は、検出した現在時刻を制御部１０へと出力する。
【０１６３】
ユーザが電子機器１を操作するときの時間帯とは異なる時間で、電子機器１が操作されるときには、その操作者は第三者である可能性が高いと考えることができる。
【０１６４】
そこで認証処理部１１０は、現在時刻取得部９４によって取得される現在時刻が所定の時間範囲外であるときには、第２認証部１２による認証を行ってもよい。所定の時間範囲は、ユーザによって設定されてもよい。あるいは、実際にユーザが操作するときの時間に基づいて時間範囲を決定してもよい。具体的には、ユーザによる第１認証が行われるときの現在時刻を現在時刻取得部９４によって取得し、認証処理部１１０がこの現在時刻に基づいて時間範囲を決定してもよい。例えば第１認証が行われるときの時刻を含む所定の時間帯を時間範囲に採用することができる。
【０１６５】
これにより、第三者が操作している可能性が高いときに、通常の第１認証とは異なる第２認証を行うことができる。
【０１６６】
図３１は制御部１０の上記動作の一例を示すフローチャートである。図３１の動作では、図５と比較して、ステップＳＴ３３が更に実行される。ステップＳＴ３３はステップＳＴ２にて肯定的な判断がなされたときに実行される。図３１の例示では、ステップＳＴ３３はステップＳＴ３にて否定的な判断がなされたときに実行される。ステップＳＴ３３においては、認証処理部１１０は、現在時刻取得部９４によって検出された現在時刻が所定の時間範囲外であるか否かを判断する。
【０１６７】
現在時刻が所定の時間範囲内であると判断したときには、ステップＳＴ４を実行する。つまり、睡眠が検出されず、かつ、現在時刻が所定の時間範囲内であるときに、正規なユーザが操作していると考えて、第１認証を行う。一方で、ステップＳＴ３３にて現在時刻が所定の時間範囲外であると判断したときには、ステップＳＴ５を実行する。つまり、睡眠が検出されたり、あるいは、現在時刻が所定の時間範囲外であるときには、第三者が操作していると考えて、第２認証を行う。したがって、第三者による電子機器の不正な使用を更に抑制することができる。
【０１６８】
＜電子機器の把持の有無＞
図３２は電子機器１の電気的な構成の一例を概略的に示す図である。この電子機器１は図３と比較して、タッチセンサ９６を更に備えている。このタッチセンサ９６は電子機器１の側面または背面に設けられる。タッチセンサ９６は人体の接触を検出することができる。例えばユーザが電子機器１を把持したときに、ユーザの手がタッチセンサ９６に近接すると、タッチセンサ９６はその近接を検出する。タッチセンサ９６はタッチパネル５２と同様の原理によって、当該近接を検出することができる。タッチセンサ９６は人体の近接を検出したときに、その旨を制御部１０へと出力する。
【０１６９】
例えばユーザが入眠するときに載置された電子機器１を動かさずに、電子機器１を操作すれば、ユーザが目覚めたときに、第三者が操作したことはユーザにばれにくい。つまり、電子機器１を把持しない状態で電子機器１が操作されるときには、その操作者は第三者である可能性が高いと考えることができる。
【０１７０】
そこで認証処理部１１０は、タッチセンサ９６が人体の近接を検出しないときに、第２認証部１２による認証を行ってもよい。これにより、第三者が操作している可能性が高いときに、通常の第１認証とは異なる第２認証を行うことができる。
【０１７１】
図３３は制御部１０の上記動作の一例を示すフローチャートである。図３３の動作では、図５と比較して、ステップＳＴ３４が更に実行される。ステップＳＴ３４はステップＳＴ２にて肯定的な判断がなされたときに実行される。図３３の例示では、ステップＳＴ３４はステップＳＴ３にて否定的な判断がなされたときに実行される。ステップＳＴ３４においては、認証処理部１１０は、タッチセンサ９６によって人体の近接が検出されたか否かを判断する。
【０１７２】
人体の近接が検出されたときには、ステップＳＴ４を実行する。つまり、睡眠が検出されず、かつ、電子機器１が把持されているときに、正規なユーザが操作していると考えて、第１認証を行う。一方で、人体の近接を検出しないと判断したときには、ステップＳＴ５を実行する。つまり、睡眠が検出されたり、あるいは、人体の近接を検出しないときには、第三者が操作していると考えて、第２認証を行う。したがって、第三者による電子機器の不正な使用を更に抑制することができる。
【０１７３】
＜顔、視線、虹彩＞
ユーザが電子機器１を操作するときには、電子機器１の前面側を撮像する第１撮像部６２の撮像範囲に、ユーザの顔が位置することが多い。逆に言えば、第１撮像部６２の撮像範囲に人物の顔が位置しないときには、正規なユーザではなく、操作者は第三者であると考えることができる。
【０１７４】
そこで認証処理部１１０は、第１撮像部６２によって撮像される撮像画像に、人物の顔が含まれていないときには、第２認証部１２による第２認証を行ってもよい。
【０１７５】
あるいは、人物の顔が電子機器１から遠く離れているときには、通常の操作とは異なっているので、第三者が操作していると考えることができる。そして、人物の顔が電子機器１から離れているときには、撮像画像に占める目のサイズの割合が小さく、撮像画像から視線または虹彩を検出しにくくなる。視線は、例えば目の全体に対する瞳孔の位置に基づいて算出することができる。しかるに、撮像画像における目のサイズが小さいと、瞳孔を適切に検出できず、視線を検出できない。また、撮像画像における目のサイズが小さいと虹彩も適切に検出できない。そこで認証処理部１１０は視線または虹彩を検出できないときには、第２認証部１２による第２認証を行ってもよい。
【０１７６】
以上の動作によれば、第三者が操作している可能性が高いときに、通常の第１認証とは異なる第２認証を行うことができる。
【０１７７】
なお、撮像部６０は顔、視線または虹彩を検出する検出部であってもよい。
【０１７８】
図３４は制御部１０の動作の一例を示すフローチャートである。図３４の動作では、図５と比較して、ステップＳＴ３５が更に実行される。ステップＳＴ３５はステップＳＴ２にて肯定的な判断がなされたときに実行される。図３４の例示では、ステップＳＴ３５はステップＳＴ３にて否定的な判断がなされたときに実行される。ステップＳＴ３５においては、認証処理部１１０は、第１撮像部６２の撮像画像に基づいて顔、視線または虹彩を検出したか否かを判断する。
【０１７９】
顔、視線または虹彩を検出したと判断したときには、ステップＳＴ４を実行する。つまり、睡眠が検出されず、かつ、顔、視線または虹彩を検出したときには、正規なユーザが操作していると考えて、第１認証を行う。一方で、ステップＳＴ３５にて顔、視線または虹彩を検出しないと判断したときには、ステップＳＴ５を実行する。つまり、睡眠が検出されたり、または、顔、視線若しくは虹彩を検出しないと判断したときには、第三者が操作していると考えて、第２認証を行う。したがって、第三者による電子機器の不正な使用を更に抑制することができる。
【０１８０】
第８の実施の形態．
図３５は制御部１０の動作の一例を示すフローチャートである。図３５の動作では、図５の動作に比して、ステップＳＴ９を更に実行する。ステップＳＴ９はステップＳＴ５にて肯定的な判断がなされたときに実行される。ステップＳＴ９においては、制御部１０は警告をユーザに報知する。例えば、表示部３０に警告を表示したり、あるいは、第２音声出力部４４を介して警告音を出力する。これにより、第三者による電子機器１の使用を更に抑制できる。
【０１８１】
以上のように、電子機器は詳細に説明されたが、上記した説明は、すべての局面において、例示であって、本帯電子機器がそれに限定されるものではない。例示されていない無数の変形例が、本電子機器の範囲から外れることなく想定され得る。本開示においては、睡眠検出の具体例を説明しているが、本開示の内容は睡眠検出に限定されない。例えば、睡眠検出部として挙げられた、音声入力部、活動計センサ、脳波センサ、湿度検出部などは、睡眠の検出に限定されない。
【０１８２】
また、上述した第２ユーザ認証は、睡眠を検出しているときに行なわれたが、本開示はこれに限定されない。例えば、第２ユーザ認証として例示した内容は、睡眠の検出を必須としない通常の電子機器へのユーザ認証手段として用いられてもよい。
【０１８３】
実施の形態は、相互に矛盾しない限り、互いに組み合わせて実施することができる。
【符号の説明】
【０１８４】
１  電子機器
３０  表示部
５２  タッチパネル
６０，６２，６４  撮像部
７０  睡眠検出部
８０  指紋検出部
９０  加速度検出部
９２  傾斜検出部
９４  現在時刻取得部
９６  タッチセンサ
１１０  認証処理部
１２０  録画処理部
１３０  表示制限部
【図１】
2017084045.tif 000003
【図２】
2017084045.tif 000004
【図３】
2017084045.tif 000005
【図４】
2017084045.tif 000006
【図５】
2017084045.tif 000007
【図６】
2017084045.tif 000008
【図７】
2017084045.tif 000009
【図８】
2017084045.tif 000010
【図９】
2017084045.tif 000011
【図１０】
2017084045.tif 000012
【図１１】
2017084045.tif 000013
【図１２】
2017084045.tif 000014
【図１３】
2017084045.tif 000015
【図１４】
2017084045.tif 000016
【図１５】
2017084045.tif 000017
【図１６】
2017084045.tif 000018
【図１７】
2017084045.tif 000019
【図１８】
2017084045.tif 000020
【図１９】
2017084045.tif 000021
【図２０】
2017084045.tif 000022
【図２１】
2017084045.tif 000023
【図２２】
2017084045.tif 000024
【図２３】
2017084045.tif 000025
【図２４】
2017084045.tif 000026
【図２５】
2017084045.tif 000027
【図２６】
2017084045.tif 000028
【図２７】
2017084045.tif 000029
【図２８】
2017084045.tif 000030
【図２９】
2017084045.tif 000031
【図３０】
2017084045.tif 000032
【図３１】
2017084045.tif 000033
【図３２】
2017084045.tif 000034
【図３３】
2017084045.tif 000035
【図３４】
2017084045.tif 000036
【図３５】
2017084045.tif 000037